(57)【要約】【課題】本考案は、使用者が電子装置に触れることなく、直接充電の状況を知ることが可能な、充電進度指示装置を備えるコネクタを提供する。【解決手段】ケースと、充電連結装置と、充電進度指示装置と、によって構成する。前記充電連結装置は、前記ケースの一端に設けられるとともに、前記充電進度指示装置に電気的に接続され、被充電設備に差し込むのに用いられる。前記充電進度指示装置は、電流量測定ユニットと、第一ディスプレイユニットと、第二ディスプレイユニットとからなる。前記電流量測定ユニットは、前記充電連結装置とケーブルに電気的に接続される。前記第一ディスプレイユニットと前記第二ディスプレイユニットは前記ケースに設けられ、前記電流量測定ユニットに電気的に接続される。前記第一ディスプレイユニットと前記第二ディスプレイユニットの表示により、使用者は、直接、充電の状況を知ることができる。【選択図】図１
0003172605.tif 000002
【実用新案登録請求の範囲】
【請求項１】
ケースと、充電連結装置と、充電進度指示装置と、によって構成する充電進度指示装置を備えるコネクタであって、
前記充電連結装置は、前記ケースの一端に設けられ、被充電設備に差し込むのに用いられ、
前記充電進度指示装置は、電流量測定ユニットと、第一ディスプレイユニットと、第二ディスプレイユニットとからなり、
前記電流量測定ユニットは、前記充電連結装置とケーブルに電気的に接続され、
前記第一ディスプレイユニットは、前記ケースに設けられるとともに、前記電流量測定ユニットに電気的に接続され、
前記第二ディスプレイユニットは、前記ケースに設けられるとともに、前記電流量測定ユニットに電気的に接続され
電力が前記ケーブルに進入した後、前記充電連結装置を経由して前記被充電設備に進入し、それと同時に、前記電流量測定ユニットによって前記第一ディスプレイユニットが駆動され、前記第一ディスプレイユニットは光を発し、
前記電流量測定ユニットに、前記ケーブルから前記充電連結装置に流れる電流量が、充電が満タン状態の所定値より少ないと測定された時は、前記電流量測定ユニットによって前記第二ディスプレイユニットが駆動され、第二ディスプレイユニットは光を発し、所定の時間が経過した後、前記第一ディスプレイユニットと前記第二ディスプレイユニットの光は消えることを特徴とする、充電進度指示装置を備えるコネクタ。
【請求項２】
ケースと、充電連結装置と、充電進度指示装置とによって構成する、充電進度指示装置を備える連接であって、
前記充電連結装置は、前記ケースの一端に設けられるとともに、被充電設備に差し込まれ、
前記充電進度指示装置は、電流量測定ユニットと、第一ディスプレイユニットと、第二ディスプレイユニットと、によって構成し、
前記電流量測定ユニットは、前記充電連結装置とケーブルに電気的に接続され、
前記第一ディスプレイユニットは、前記ケースに設けられるとともに、前記電流量測定ユニットに電気的に接続され、
前記第二ディスプレイユニットは、前記ケースに設けられるとともに、前記電流量測定ユニットに電気的に接続され、
電力が前記ケーブルに進入した後、前記充電連結装置を経由して前記被充電設備に進入し、それと同時に、前記電流量測定ユニットによって、前記第一ディスプレイユニットと前記第二ディスプレイユニットが駆動され、第一ディスプレイユニットと前記第二ディスプレイユニットは点滅光を発し、
前記電流量測定ユニットによって、前記ケーブルから前記充電連結装置に流れる電流量が、充電が満タン状態の所定値より少ないと測定された時は、前記電流量測定ユニットによって、前記第一ディスプレイユニットと前記第二ディスプレイユニットが駆動され、前記第一ディスプレイユニットと前記第二ディスプレイユニットの点滅頻度が変わるか、或いは、第一ディスプレイユニットと第二ディスプレイユニットの光が消えることを特徴とする、充電進度指示装置を備えるコネクタ。
【考案の詳細な説明】
【技術分野】
【０００１】
本考案は充電用のコネクタに関し、特にコネクタに充電進度指示装置が設けられたコネクタに関する。
【背景技術】
【０００２】
携帯式の電子製品は日増しに普及してきている。例えば、携帯電話、ＭＰ３プレイヤー、タブレットＰＣ、ポータブルゲーム機等の装置により、使用者はいつでも、電子メールを送受信したり、ネットサーフィンを行ったり、音楽を聴いたり、ゲームをしたりすることができる。これらの装置は、携帯して使用するのに便利なように、いずれも、充電電池が使用されている。
【０００３】
これらの装置の充電を行う際、使用者は、その装置の画面やランプからしか、電力の充満の程度を知ることができず、相当不便である。特に、現在幅広く使用されているタッチパネルモニターは、操作が便利である等の利点があるが、その消費電量は、その他の装置よりはるかに多く、しかも、モニターの表示からしか充電の程度を知ることができない。充電の程度を知るためには、使用者がタッチして操作をしなければならないばかりか、充電状態を表示するためにいくらかの電力を消費しなければならず、相当不便である。
【０００４】
ある種の充電器のプラグには電源指示ランプが設けられ、電力の接続が完了したかどうか確認することができる。プラグをコンセントに差し込み、さらにコネクタと電子装置を接続すると、ランプで接続が完成したことが表示される。しかしながら、コンセントは、通常、テーブルの上に設けられるため、観察しづらく、使用者は、腰を曲げないときちんと差し込まれたかを確認することができず、使用上不便である。また、プラグの外観から充電の状態を知ることができないため、使用上相当不便である。
【考案の概要】
【考案が解決しようとする課題】
【０００５】
そこで、本考案は、使用者が電子装置に触れることなく、直接充電の状況を知ることが可能な、充電進度指示装置を備えるコネクタを提供することを目的とする。
【課題を解決するための手段】
【０００６】
本考案による充電進度指示装置を備えるコネクタは、ケースと、充電連結装置と、充電進度指示装置と、によって構成する。前記充電連結装置は、前記ケースの一端に設けられ、被充電設備に差し込むのに用いられる。前記充電進度指示装置は、電流量測定ユニットと、第一ディスプレイユニットと、第二ディスプレイユニットとからなる。前記電流量測定ユニットは、前記充電連結装置とケーブルに電気的に接続される。前記第一ディスプレイユニットは、前記ケースに設けられるとともに、前記電流量測定ユニットに電気的に接続され、前記第二ディスプレイユニットは、前記ケースに設けられるとともに、前記電流量測定ユニットに電気的に接続される。電力が前記ケーブルに進入した後、前記充電連結装置を経由して前記被充電設備に進入し、それと同時に、前記電流量測定ユニットによって前記第一ディスプレイユニットが駆動され、前記第一ディスプレイユニットは光を発する。また、前記電流量測定ユニットに、前記ケーブルから前記充電連結装置に流れる電流量が、充電が満タン状態の所定値より少ないと測定された時は、前記電流量測定ユニットによって前記第二ディスプレイユニットが駆動され、第二ディスプレイユニットは光を発するか、或いは、光の色を変える。所定の時間が経過した後、前記第一ディスプレイユニットと前記第二ディスプレイユニットの光は消える。
【０００７】
また、本考案の別の実施例では、電力が前記ケーブルに進入した後、第一ディスプレイユニットと前記第二ディスプレイユニットは点滅光を発し、前記電流量測定ユニットによって、前記ケーブルから前記充電連結装置に流れる電流量が、充電が満タン状態の所定値より少ないと測定された時は、前記電流量測定ユニットによって、前記第一ディスプレイユニットと前記第二ディスプレイユニットが駆動され、前記第一ディスプレイユニットと前記第二ディスプレイユニットの点滅頻度が変わるか、或いは、第一ディスプレイユニットと第二ディスプレイユニットの光が消える。
【図面の簡単な説明】
【０００８】
【図１】本考案の実施例を示した斜視図である。
【図２】本考案の実施例を示した正面図である。
【図３】本考案の実施例を示した背面図である。
【図４】本考案の実施例の部材を示した分解斜視図である。
【図５】本考案の実施例に、第三と第四ディスプレイユニットを結合させた後の状態を示した正面図である。
【考案を実施するための形態】
【０００９】
図１から図４を参照する。図１は、本考案の実施例を示した斜視図であり、図２は、本考案の実施例を示した正面図であり、図３は、本考案の実施例を示した背面図であり、図４は、本考案の実施例の部材を示した分解斜視図である。
【００１０】
図１から図４に示すように、本実施例の充電進度指示装置を備えるコネクタは、ケース１０と、充電連結装置２０と、充電進度指示装置３０と、によってなる。
【００１１】
充電連結装置２０は、ケース１０の一端に設けられ、被充電設備（図示せず）に差し込まれる。
【００１２】
充電進度指示装置３０は、電流量測定ユニット３１と、第一ディスプレイユニット３２と、第二ディスプレイユニット３３と、によって構成する。その内、電流量測定ユニット３１は、充電連結装置２０とケーブルＣに電気的に接続される。第一ディスプレイユニット３２は、ケース１０に設けられるとともに、電流量測定ユニット３１に電気的に接続され、第二ディスプレイユニット３３は、ケース１０に設けられるとともに、電流量測定ユニット３１に電気的に接続され、電流量測定ユニット３１によって、通過する電流量が測定される。
【００１３】
電力がケーブルＣに進入した後、充電連結装置２０を経由して被充電設備に進入し、それと同時に、電流量測定ユニット３１によって第一ディスプレイユニット３２が駆動され、第一ディスプレイユニット３２は光を発する。そして、電流量測定ユニット３１によって、ケーブルＣから充電連結装置２０に流れる電流量が、充電が満タン状態の所定値より少ないと測定された時、電流量測定ユニット３１によって第二ディスプレイユニット３３が駆動され、第二ディスプレイユニット３３は光を発し、所定の時間が経過した後、第一ディスプレイユニット３２と第二ディスプレイユニット３３の光は消える。
【００１４】
また、或いは、電力がケーブルＣに進入した後、充電連結装置２０を経由して被充電設備に進入し、それと同時に、電流量測定ユニット３１によって第一ディスプレイユニット３２が駆動され、第一ディスプレイユニット３２は点滅光を発する。そして、電流量測定ユニット３１によって  ケーブルＣから充電連結装置２０に流れる電流量が、充電が満タン状態の所定値より少ないと測定された時、電流量測定ユニットによって、第一ディスプレイユニット３２と第二ディスプレイユニット３３が駆動され、第一ディスプレイユニット３２と第二ディスプレイユニット３３の点滅頻度が変わるか、或いは、第一ディスプレイユニット３２と第二ディスプレイユニット３３の光が消える。
【００１５】
本実施例では、使用者が第一ディスプレイユニット３２を見ると、電源の接続が成功したかどうか知ることができ、電池内の電気量が上昇するに従い、流れる電流は次第に減り、通過する電流量が満タン状態の所定値より小さくなった時、前記第一ディスプレイユニット３２と前記第二ディスプレイユニット３３の状態が代わり、充電が既に完成したことが表示される。このように、使用者はモニターを開くことなく、充電が完了したかどうか知ることができるため、使用上の利便性が大幅に向上する。
【００１６】
また、図５に示すように、充電進度指示装置３０は、第三ディスプレイユニット３４と、第四ディスプレイユニット３５とを備える。この二つのユニットは、いずれも、ケース１０に設けられるとともに、電流量測定ユニット３１に電気的に接続される。電流量測定ユニット３１に、ケーブルＣから充電連結装置２０に流れる電流量が第一所定値より少ないと測定された場合は、電流量測定ユニット３１によって第三ディスプレイユニット３４が駆動され、第三ディスプレイユニット３４は光の点灯と消灯状態を切り換えるか、或いは、光の色を変える。電流量が第二所定値より少ない時、電流量測定ユニット３１によって第四ディスプレイユニット３５が駆動され、第四ディスプレイユニットは、光の点灯と消灯状態を切り換えるか、或いは、光の色を変える。なお、第一所定値は第二所定値より大きく、第二所定値は満タン状態の所定値より大きい。また、第三ディスプレイユニット３４と第四ディスプレイユニット３５と電流量測定ユニット３１の結合は、一般的な技術によって行われるため、この技術領域に属する一般的な技術者であれば、誰でもその製作方法を理解できる。従って、ここでは、詳細な説明を省略するものとする。
【００１７】
以上の構造により、使用者は、第三ディスプレイユニット３４と第四ディスプレイユニット３５の表示ランプを見ることで、直接、現在の充電の進度を理解することができるため、使用者が目視で現状を理解しやすくなり、使用上の利便性が大幅に向上する。
【００１８】
また、第一ディスプレイユニットから発せられる光の色は、第二ディスプレイユニット３３、第三ディスプレイユニット３４、第四ディスプレイユニット３５から発する光の色と異なる。それにより、使用者は、色を識別することで、複数のディスプレイユニットの間で充電の状況を知ることができるため、逐一光が点灯した数を計算する必要がないため、使用上の利便性が更に向上する。
【符号の説明】
【００１９】
１０      ケース
２０      充電連結装置
３０      充電進度指示装置
３１      電流量測定ユニット
３２      第一ディスプレイユニット
３３      第二ディスプレイユニット
３４      第三ディスプレイユニット
３５      第四ディスプレイユニット
Ｃ        ケーブル
【図１】
0003172605.tif 000003
【図２】
0003172605.tif 000004
【図３】
0003172605.tif 000005
【図４】
0003172605.tif 000006
【図５】
0003172605.tif 000007
【手続補正書】
【提出日】平成23年10月21日(2011.10.21)
【手続補正１】
【補正対象書類名】実用新案登録請求の範囲
【補正対象項目名】請求項２
【補正方法】変更
【補正の内容】
【請求項２】
ケースと、充電連結装置と、充電進度指示装置とによって構成する、充電進度指示装置を備えるコネクタであって、
前記充電連結装置は、前記ケースの一端に設けられるとともに、被充電設備に差し込まれ、
前記充電進度指示装置は、電流量測定ユニットと、第一ディスプレイユニットと、第二ディスプレイユニットと、によって構成し、
前記電流量測定ユニットは、前記充電連結装置とケーブルに電気的に接続され、
前記第一ディスプレイユニットは、前記ケースに設けられるとともに、前記電流量測定ユニットに電気的に接続され、
前記第二ディスプレイユニットは、前記ケースに設けられるとともに、前記電流量測定ユニットに電気的に接続され、
電力が前記ケーブルに進入した後、前記充電連結装置を経由して前記被充電設備に進入し、それと同時に、前記電流量測定ユニットによって、前記第一ディスプレイユニットと前記第二ディスプレイユニットが駆動され、第一ディスプレイユニットと前記第二ディスプレイユニットは点滅光を発し、
前記電流量測定ユニットによって、前記ケーブルから前記充電連結装置に流れる電流量が、充電が満タン状態の所定値より少ないと測定された時は、前記電流量測定ユニットによって、前記第一ディスプレイユニットと前記第二ディスプレイユニットが駆動され、前記第一ディスプレイユニットと前記第二ディスプレイユニットの点滅頻度が変わるか、或いは、第一ディスプレイユニットと第二ディスプレイユニットの光が消えることを特徴とする、充電進度指示装置を備えるコネクタ。